【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
第１の制御部と第２の制御部の両方に電力が供給される第１の電力モードと、当該第２の制御部に電力が供給されるが当該第１の制御部には電力が供給されない第２の電力モードのいずれかで動作可能な画像処理装置であって、
前記第２の制御部は、
外部装置から送信されたパケットを受信する受信手段と、
前記受信手段が受信した受信パケットをコピーして記憶する記憶手段と、
前記受信手段が受信した受信パケットのヘッダを解析し、解析したヘッダを削除する解析手段と、
前記画像処理装置が前記第２の電力モードである場合に、前記解析手段による解析の結果に基づいて前記画像処理装置を前記第２の電力モードから前記第１の電力モードに移行させるか否かを判定する判定手段と、
前記判定手段によって前記画像処理装置を前記第２の電力モードから前記第１の電力モードに移行させると判定された場合に、前記画像処理装置を前記第２の電力モードから前記第１の電力モードに移行させるとともに、前記解析手段によってヘッダが削除された受信パケットではなく前記記憶手段が記憶する受信パケットを前記第１の制御部に転送する処理手段と
を備えることを特徴とする画像処理装置。
【請求項２】
前記判定手段によって前記画像処理装置を前記第２の電力モードから前記第１の電力モードに移行させないと判定された場合に、前記処理手段は、前記解析手段による解析の結果に基づいて前記受信パケットに対する応答を行うか、又は前記受信パケットを破棄するかを決定することを特徴とする請求項１に記載の画像処理装置。
【請求項３】
前記処理手段は、前記受信パケットに対する処理が完了したことに応じて前記記憶手段が記憶する受信パケットを削除することを特徴とする請求項１又は２に記載の画像処理装置。
【請求項４】
前記受信手段が受信した受信パケットは暗号化されたパケットであり、
前記解析手段は、前記受信手段が受信した受信パケットを復号化する請求項１乃至３の何れか１項に記載の画像処理装置。
【請求項５】
前記受信手段が受信した受信パケットはＩＰｓｅｃで暗号化されたパケットであることを特徴とする請求項４に記載の画像処理装置。
【請求項６】
第１の制御部と第２の制御部の両方に電力が供給される第１の電力モードと、当該第２の制御部に電力が供給されるが当該第１の制御部には電力が供給されない第２の電力モードのいずれかで動作可能であり、外部装置とセキュリティ通信を実行可能な画像処理装置であって、
前記第２の制御部は、
前記セキュリティ通信に係るセキュリティ情報を保持する第１の保持手段と、
前記外部装置から送信されたパケットを受信する受信手段と、
前記受信手段が前記外部装置から送信されたパケットを受信した場合に、前記第１の保持手段が保持する前記セキュリティ情報を記憶する記憶手段と、
前記記憶手段が前記セキュリティ情報を記憶した後に、前記第１の保持手段が保持する前記セキュリティ情報を更新する更新手段と、
前記画像処理装置が前記第２の電力モードである場合に、前記受信手段が受信した受信パケットに基づいて前記画像処理装置を前記第２の電力モードから前記第１の電力モードに移行させるか否かを判定する判定手段と、
前記判定手段によって前記画像処理装置を前記第２の電力モードから前記第１の電力モードに移行させると判定された場合に、前記画像処理装置を前記第２の電力モードから前記第１の電力モードに移行させるとともに、前記更新手段によって更新されたセキュリティ情報ではなく前記記憶手段が記憶するセキュリティ情報を前記第１の制御部に転送する処理手段と
を備えることを特徴とする画像処理装置。
【請求項７】
前記第１の制御部は、
前記セキュリティ通信に係るセキュリティ情報を保持する第２の保持手段と、
前記第２の保持手段が保持するセキュリティ情報を前記第２の制御部に通知する通知手段とを備え、
前記第１の保持手段は、前記通知手段によって通知された前記セキュリティ情報を保持することを特徴とする請求項６に記載の画像処理装置。
【請求項８】
前記通知手段は、前記画像処理装置が前記第１の電力モードから前記第２の電力モードに移行するための条件を満たした場合に、前記第２の保持手段が保持するセキュリティ情報を前記第２の制御部に通知することを特徴とする請求項７に記載の画像処理装置。
【請求項９】
前記判定手段によって前記画像処理装置を前記第２の電力モードから前記第１の電力モードに移行させないと判定された場合に、前記処理手段は、前記受信パケットに基づいて前記受信パケットに対する応答を行うか、又は前記受信パケットを破棄するかを決定することを特徴とする請求項６乃至８の何れか１項に記載の画像処理装置。
【請求項１０】
前記処理手段は、前記受信パケットに対する処理が完了したことに応じて前記記憶手段が記憶するセキュリティ情報を削除することを特徴とする請求項６乃至９の何れか１項に記載の画像処理装置。
【請求項１１】
前記判定手段によって前記画像処理装置を前記第２の電力モードから前記第１の電力モードに移行させると判定された場合に、前記処理手段は、前記受信パケットを更に前記第１の制御部に転送することを特徴とする請求項６乃至１０の何れか１項に記載の画像処理装置。
【請求項１２】
前記セキュリティ通信はＩＰｓｅｃであることを特徴とする請求項６乃至１１の何れか１項に記載の画像処理装置。
【請求項１３】
第１の制御部と第２の制御部の両方に電力が供給される第１の電力モードと、当該第２の制御部に電力が供給されるが当該第１の制御部には電力が供給されない第２の電力モードのいずれかで動作可能な画像処理装置の制御方法であって、
前記第２の制御部は、
受信手段が、外部装置から送信されたパケットを受信する受信工程と、
記憶手段が、前記受信工程で受信した受信パケットをコピーして記憶する記憶工程と、
解析手段が、前記受信工程で受信した受信パケットのヘッダを解析し、解析したヘッダを削除する解析工程と、
判定手段が、前記画像処理装置が前記第２の電力モードである場合に、前記解析工程による解析の結果に基づいて前記画像処理装置を前記第２の電力モードから前記第１の電力モードに移行させるか否かを判定する判定工程と、
処理手段が、前記判定工程で前記画像処理装置を前記第２の電力モードから前記第１の電力モードに移行させると判定された場合に、前記画像処理装置を前記第２の電力モードから前記第１の電力モードに移行させるとともに、前記解析工程でヘッダが削除された受信パケットではなく前記記憶手段が記憶する受信パケットを前記第１の制御部に転送する処理工程と
を実行することを特徴とする画像処理装置の制御方法。
【請求項１４】
第１の制御部と第２の制御部の両方に電力が供給される第１の電力モードと、当該第２の制御部に電力が供給されるが当該第１の制御部には電力が供給されない第２の電力モードのいずれかで動作可能であり、外部装置とセキュリティ通信を実行可能な画像処理装置であって、
前記第２の制御部は、
第１の保持手段が、前記セキュリティ通信に係るセキュリティ情報を保持する第１の保持工程と、
受信手段が、前記外部装置から送信されたパケットを受信する受信工程と、
記憶手段が、前記受信工程で前記外部装置から送信されたパケットを受信した場合に、前記第１の保持手段が保持する前記セキュリティ情報を記憶する記憶工程と、
更新手段が、前記記憶工程で前記セキュリティ情報を記憶した後に、前記第１の保持手段が保持する前記セキュリティ情報を更新する更新工程と、
判定手段が、前記画像処理装置が前記第２の電力モードである場合に、前記受信工程で受信した受信パケットに基づいて前記画像処理装置を前記第２の電力モードから前記第１の電力モードに移行させるか否かを判定する判定工程と、
処理手段が、前記判定工程で前記画像処理装置を前記第２の電力モードから前記第１の電力モードに移行させると判定された場合に、前記画像処理装置を前記第２の電力モードから前記第１の電力モードに移行させるとともに、前記更新工程で更新されたセキュリティ情報ではなく前記記憶手段が記憶するセキュリティ情報を前記第１の制御部に転送する処理工程と
を実行することを特徴とする画像処理装置の制御方法。
【請求項１５】
請求項１３又は１４に記載の画像処理装置の制御方法における各工程をコンピュータに実行させるためのプログラム。
【手続補正２】
【補正対象書類名】明細書
【補正対象項目名】０００９
【補正方法】変更
【補正の内容】
【０００９】
本発明は、第１の制御部と第２の制御部の両方に電力が供給される第１の電力モードと、当該第２の制御部に電力が供給されるが当該第１の制御部には電力が供給されない第２の電力モードのいずれかで動作可能な画像処理装置であって、前記第２の制御部は、外部装置から送信されたパケットを受信する受信手段と、前記受信手段が受信した受信パケットをコピーして記憶する記憶手段と、前記受信手段が受信した受信パケットのヘッダを解析し、解析したヘッダを削除する解析手段と、前記画像処理装置が前記第２の電力モードである場合に、前記解析手段による解析の結果に基づいて前記画像処理装置を前記第２の電力モードから前記第１の電力モードに移行させるか否かを判定する判定手段と、前記判定手段によって前記画像処理装置を前記第２の電力モードから前記第１の電力モードに移行させると判定された場合に、前記画像処理装置を前記第２の電力モードから前記第１の電力モードに移行させるとともに、前記解析手段によってヘッダが削除された受信パケットではなく前記記憶手段が記憶する受信パケットを前記第１の制御部に転送する処理手段とを備えることを特徴とする。また、本発明は、第１の制御部と第２の制御部の両方に電力が供給される第１の電力モードと、当該第２の制御部に電力が供給されるが当該第１の制御部には電力が供給されない第２の電力モードのいずれかで動作可能であり、外部装置とセキュリティ通信を実行可能な画像処理装置であって、前記第２の制御部は、前記セキュリティ通信に係るセキュリティ情報を保持する第１の保持手段と、前記外部装置から送信されたパケットを受信する受信手段と、前記受信手段が前記外部装置から送信されたパケットを受信した場合に、前記第１の保持手段が保持する前記セキュリティ情報を記憶する記憶手段と、前記記憶手段が前記セキュリティ情報を記憶した後に、前記第１の保持手段が保持する前記セキュリティ情報を更新する更新手段と、前記画像処理装置が前記第２の電力モードである場合に、前記受信手段が受信した受信パケットに基づいて前記画像処理装置を前記第２の電力モードから前記第１の電力モードに移行させるか否かを判定する判定手段と、前記判定手段によって前記画像処理装置を前記第２の電力モードから前記第１の電力モードに移行させると判定された場合に、前記画像処理装置を前記第２の電力モードから前記第１の電力モードに移行させるとともに、前記更新手段によって更新されたセキュリティ情報ではなく前記記憶手段が記憶するセキュリティ情報を前記第１の制御部に転送する処理手段とを備えることを特徴とする。